(57)【特許請求の範囲】
【請求項１】
複数階建ての建物本体の傍に、その上面が該建物本体の１階の床面よりも高い位置にあるプールである空中プールを立設し、前記建物本体の２階以上の特定階から前記空中プールに出入り可能とし、前記建物本体は木造である一方、前記空中プールは、鉄筋コンクリート製で下部が中実、上部が中空である有底筒状とし、前記建物本体から独立して設けてあるとともに、プールを埋め込むための地盤の掘削作業のない底上げによって設けてある空中プール付き建物。
【請求項２】
前記建物本体は２階建てである一方、前記空中プールは前記建物本体の１階部分から水平方向に離れた位置である前記建物本体の傍に立設してあるとともに、前記空中プールの上面を前記建物本体の２階の床面と略同レベルに設定してある請求項１に記載の空中プール付き建物。
【請求項３】
前記空中プールの全周のうち、前記建物本体側に臨まない領域の少なくとも一部に、前記特定階から前記空中プールへの出入りを行うための出入り部分を設けないようにした請求項１または２に記載の空中プール付き建物。
【請求項４】
請求項１〜３の何れか一項に記載の空中プール付き建物を構築するための空中プール付き建物の構築方法であって、
既存の前記建物本体の傍に空中プールを新設して前記空中プール付き建物を構築する空中プール付き建物の構築方法。
【発明の詳細な説明】
【技術分野】
【０００１】
本発明は、例えば、住宅、ヴィラ等として利用可能な空中プール付き建物及びその構築方法に関する。なお、本明細書において、「空中プール」とは、建物本体の傍に設けたプールであって、その上面が該建物本体の１階の床面より高い位置にあるプールを指す。
【背景技術】
【０００２】
従来、２階のバルコニーをプールとして利用可能に構成した建物が提案されている（特許文献１の図２）。
【先行技術文献】
【特許文献】
【０００３】
【特許文献１】特開２００２−１１５３１８号公報
【発明の概要】
【発明が解決しようとする課題】
【０００４】
しかし、上記建物は、その水漏れ防止を十分に図ること等を考慮した場合、木造とするのは困難であり、鉄筋コンクリート造などの構造に限定されることになる。
【０００５】
そこで、建物の外にある庭の一部にプールを設けることも考えられるが、この場合、プールを埋め込み設置するため地盤の掘削作業等が別途必要になり、その設置費が大幅に嵩むという問題がある。
【０００６】
本発明は上述の事柄に留意してなされたもので、その目的は、建物本体の構造の自由度向上を図りながら、プールを設置するための費用を抑えることができる空中プール付き建物及びその構築方法を提供することにある。
【課題を解決するための手段】
【０００７】
上記目的を達成するために、本発明に係る空中プール付き建物は、複数階建ての建物本体の傍に、その上面が該建物本体の１階の床面よりも高い位置にあるプールである空中プールを立設し、前記建物本体の２階以上の特定階から前記空中プールに出入り可能とし、前記建物本体は木造である一方、前記空中プールは、鉄筋コンクリート製で下部が中実、上部が中空である有底筒状とし、前記建物本体から独立して設けてあるとともに、プールを埋め込むための地盤の掘削作業のない底上げによって設けてある（請求項１）。
【０００８】
上記空中プール付き建物において、前記建物本体は２階建てである一方、前記空中プールは前記建物本体の１階部分から水平方向に離れた位置である前記建物本体の傍に立設してあるとともに、前記空中プールの上面を前記建物本体の２階の床面と略同レベルに設定してもよい（請求項２）。
【０００９】
上記空中プール付き建物において、前記空中プールの全周のうち、前記建物本体側に臨まない領域の少なくとも一部に、前記特定階から前記空中プールへの出入りを行うための出入り部分を設けないようにしてもよい（請求項３）。
【００１０】
一方、上記目的を達成するために、本発明に係る空中プール付き建物の構築方法は、請求項１〜３の何れか一項に記載の空中プール付き建物を構築するための空中プール付き建物の構築方法であって、既存の前記建物本体の傍に空中プールを新設して前記空中プール付き建物を構築する（請求項４）。
【発明の効果】
【００１１】
本願発明では、建物本体の構造の自由度向上を図りながら、プールを設置するための費用を抑えることができる空中プール付き建物及びその構築方法が得られる。
【００１２】
すなわち、本願の各請求項に係る発明の空中プール付き建物では、建物本体とは別に空中プールを設けるので、建物本体の構造の自由度の向上を図ることができる。
【００１３】
また、例えば庭にプールを設ける場合には、プールを埋め込むための地盤の掘削作業が別途必要になり、工費が大幅に嵩むこととなるが、本発明の空中プール付き建物では、空中プールをいわば底上げによって設けるので、プールを埋め込むための地盤の掘削作業等が不要であり、それだけ設置費の低減を図ることができる。
【００１４】
さらに、例えばプールを建物本体のバルコニー自体に設ける場合、階下への干渉等を考慮すると、設けるプールをあまり深くすることはできないが、本発明の空中プール付き建物では、建物本体から独立して空中プールを設けるので、上記のような干渉等を考慮する必要がなく、その深さ等にも自由度をより持たせることが可能となる。
【００１５】
しかも、建物本体が木造であるため、例えば鉄筋コンクリート造とする場合よりも建築費の低減を図ることが容易であり、また、空中プールは鉄筋コンクリート製であり、例えば建物本体と空中プールとを新設する場合、建物本体の基礎を鉄筋コンクリートで設ける際に、空中プールをも併せて構築するようにすれば、空中プールの設置費の更なる低減を図ることも可能となる。
【００１６】
請求項３に係る発明の空中プール付き建物では、空中プールをいわゆるインフィニティプール（建物本体の反対側となる外縁を水で覆い、その外縁が存在しないかのように見せかけたプール）として構成することも可能であり、この場合、景観向上等を大いに図ることができる。
【００１７】
請求項４に係る発明の空中プール付き建物の構築方法では、プール付きでない建物をプール付きの建物にすることが容易となる。
【図面の簡単な説明】
【００１８】
【図１】（Ａ）〜（Ｄ）は、本発明の一実施の形態に係る空中プール付き建物の構成を概略的に示す１階平面図、２階平面図、縦断面図及び正面図である。
【発明を実施するための形態】
【００１９】
本発明の実施の形態について図面を参照しながら以下に説明する。
【００２０】
図１（Ａ）〜（Ｄ）に示す空中プール付き建物は、複数階建て（本例では２階建て）の建物本体１の傍（１階部分から水平方向に離れた位置）に、その上面が建物本体１の１階の床面よりも高い位置（本例では２階の床面と略同レベル）にあるプールである空中プール２を立設し、建物本体１の２階以上の特定階（本例では２階）から空中プール２に出入り可能としたものである。
【００２１】
詳述すると、建物本体１は、木造であり、図１（Ａ）に示すように、１階には、玄関３、寝室４，５、バスルーム６、ランドリールーム７、トイレ８，９等を配してある。そして、１階から階段１０を上がって２階に行くと、図１（Ｂ）に示すように、ダイニングキッチン１１があり、その奥にはリビング１２がある。また、このリビング１２からバルコニー１３に出ることができ、バルコニー１３には、屋外用のバスタブ（本例ではデッキ付きジェットバス）１４と、屋外用のダイニングセット１５とを配してある。
【００２２】
なお、図１（Ｄ）において、１６は玄関扉、１７は窓である。
【００２３】
一方、空中プール２は、鉄筋コンクリート製であり、図１（Ａ）〜（Ｄ）に示すように、平面視略矩形状を呈し、下部が中実、上部が中空である有底筒状としてある。
【００２４】
そして、空中プール２の全周（４辺）のうち、建物本体１側に臨む２辺に、建物本体１の特定階（２階）のバルコニー１３から空中プール２への出入りを行うための出入り部分となる連絡部２１を設けてある。ここで、空中プール２、バルコニー１３及び連絡部２１は、これらの上面が略面一となっており、バルコニー１３から空中プール２に入る際に何かを跨いだりする必要が無いように構成してある。
【００２５】
なお、詳細に図示していないが、安全のための柵等や、空中プール２からの排水機構等は、適宜設ければよい。
【００２６】
斯かる構成からなる本例の空中プール付き建物では、建物本体１とは別に空中プール２を設けるので、建物本体１の構造の自由度の向上を図ることができる。
【００２７】
また、例えば庭にプールを設ける場合には、プールを埋め込むための地盤の掘削作業が別途必要になり、工費が大幅に嵩むこととなるが、本例では、空中プール２を、図１（Ｄ）に示すように、底上げによって設けるので、プールを埋め込むための地盤の掘削作業等が不要であり、それだけ設置費の低減を図ることができる。
【００２８】
さらに、例えばプールを建物本体１のバルコニー自体に設ける場合、階下への干渉等を考慮すると、設けるプールをあまり深くすることはできないが、本例では、建物本体１から独立して空中プール２を設けるので、上記のような干渉等を考慮する必要がなく、その深さ等にも自由度をより持たせることが可能となる。
【００２９】
そして、本例の建物本体１は木造であるため、例えば鉄筋コンクリート造とする場合よりも建築費の低減を図ることが容易であり、また、空中プール２は鉄筋コンクリート製であり、例えば建物本体１と空中プール２とを新設する場合、建物本体１の基礎を鉄筋コンクリートで設ける際に、空中プール２をも併せて構築するようにすれば、空中プール２の設置費の更なる低減を図ることも可能となる。
【００３０】
その一方、建物本体１と空中プール２とは基本的に独立しているので、例えば既存の建物本体１の傍に空中プール２を新設して本例の空中プール付き建物を構築することも可能であり、この場合、プール付きでない建物をプール付きの建物にすることが容易となる。そして、空中プール２を残したまま、建物本体１の建て替えを行うといったことも可能である。
【００３１】
また、本例では、空中プール２の全周（４辺）のうち、建物本体１側に臨む２辺のみに連絡部２１を設け、建物本体１側に臨まない領域の少なくとも一部（本例では図１（Ｂ）において空中プール２の下側となる辺）に、バルコニー１３から空中プール２への出入りを行うための出入り部分（連絡部２１）を設けないようにしたため、この空中プール２をいわゆるインフィニティプール（建物本体１の反対側となる外縁を水で覆い、その外縁が存在しないかのように見せかけたプール）として構成することも可能であり、この場合、景観向上等を大いに図ることができる。
【００３２】
しかも、本例では、空中プール２をバルコニー１３に連絡したことにより、バルコニー１３が疑似的に広がるので、より高い開放感が得られることが期待できる。これと同様の効果は、バルコニー１３にかえて例えばベランダに空中プール２を連絡した場合でも奏することができる。
【００３３】
なお、本発明は、上記の実施の形態に何ら限定されず、本発明の要旨を逸脱しない範囲において種々に変形して実施し得ることは勿論である。例えば、以下のような変形例を挙げることができる。
【００３４】
例えば、上記実施の形態では、建物本体１を２階建てとしているが、建物本体１が３階以上を有するようにしてもよく、この場合、２階以上の特定の一つの階から空中プール２に出入り可能に構成してもよいし、２階以上の複数（例えば二つ）の階から空中プール２に出入り可能に構成してもよい。但し、アクセスのし易さからすれば、空中プール２の上面を２階以上の特定の一つの階の床面と略同一とし、その特定の一つの階のみから出入り可能とするのが好ましい。
【００３５】
【００３６】
また、上記実施の形態では、空中プール２の全周（４辺）のうち、建物本体１側に臨まない領域の少なくとも一部（本例では図１（Ｂ）において空中プール２の下側となる辺）に、バルコニー１３から空中プール２への出入りを行うための出入り部分（連絡部２１）を設けないようにしてあるが、これに限らず、空中プール２の全周（４辺）に、バルコニー１３から空中プール２への出入りを行うための出入り部分（連絡部２１）を設けるようにしてもよい。
【００３７】
また、上記実施の形態では、一つの建物本体１に対して一つの空中プール２を設けてあるが、これに限らず、例えば、一つの建物本体１に対して複数の空中プール２を設けるようにしてもよく、複数の建物本体１から出入り可能な空中プール２を一つ又は複数設けるようにしてもよい。ここで、複数の空中プール２を設ける場合、空中プール２どうしは相互に離れていても連なっていてもよい。
【００３８】
上記実施の形態における空中プール２は、その中に温水（湯）をため、温水プール、風呂、ジャグジー等として用いることができるように構成してあってもよい。
【００３９】
なお、本明細書で挙げた変形例どうしを適宜組み合わせてもよいことはいうまでもない。
【符号の説明】
【００４０】
１    建物本体
２    空中プール
３    玄関
４    寝室
５    寝室
６    バスルーム
７    ランドリールーム
８    トイレ
９    トイレ
１０    階段
１１    ダイニングキッチン
１２    リビング
１３    バルコニー
１４    バスタブ
１５    ダイニングセット
１６    玄関扉
１７    窓
２１    連絡部
【要約】
【課題】建物本体の構造の自由度向上を図りながら、プールを設置するための費用を抑えることができる空中プール付き建物及びその構築方法を提供すること。
【解決手段】本発明に係る空中プール付き建物は、複数階建ての建物本体１の傍に、その上面が該建物本体の１階の床面よりも高い位置にあるプールである空中プール２を立設し、前記建物本体１の２階以上の特定階から前記空中プール２に出入り可能とするのであり、前記建物本体１を木造とし、前記空中プール２を鉄筋コンクリート製とすることができる。
【選択図】図１【図１】
0006823328.tif 000002